(57)【要約】【要  約】【課  題】  腐食性環境に設けられるマンホールに載置され、着脱式の昇降器具をマンホールに挿入しさらに内側面に固定する作業、および昇降器具をマンホールから取り出す作業を行なう際に、作業員がマンホール内に転落するのを防止できるマンホール蓋を提供する。【解決手段】  マンホールに載置されるマンホール蓋であって、マンホールに挿入される着脱式の昇降器具を通行させる開口部を有し、開口部に閉鎖板が開閉可能に装着する。【選択図】        図１
2008308938.tif 000002
【特許請求の範囲】
【請求項１】
マンホールに載置されるマンホール蓋であって、前記マンホールに挿入される着脱式の昇降器具を通行させる開口部を有し、前記開口部に閉鎖板が開閉可能に装着されてなることを特徴とするマンホール蓋。
【発明の詳細な説明】
【技術分野】
【０００１】
本発明は、マンホールに載置される蓋（以下、マンホール蓋という）に関するものであり、特に製鋼工場の廃液処理設備に設置される薬液ピット等のような、金属を腐食させる環境に設けられるマンホールに載置されるマンホール蓋に関するものである。
【背景技術】
【０００２】
工場や道路等の地下に埋設される液体を貯蔵するためのタンク（いわゆるピット）や各種配管を配設するための地下トンネルには、作業員が地上から出入りするためのマンホールが設けられる。マンホールを使用しないときにはマンホール蓋を載置して、作業員や通行人が転落する事故を防止する。
マンホールには作業員が出入りするための昇降器具が配設される。その昇降器具は、耐久性を考慮して金属製のはしご状のものが広く使用されており、マンホールの内側面に埋め込まれている。一般の道路に設けられるマンホールのような大気中の環境では、このような昇降器具を支障なく使用できる。
【０００３】
ところが製鋼工場の廃液処理設備に設置される薬液ピット等のような、金属を腐食させる環境（以下、腐食性環境という）に設けられるマンホールでは、昇降器具の腐食が容易に進行する。腐食を抑制するために、ステンレス鋼製の昇降器具や表面を樹脂で被覆した昇降器具の使用が検討されているが、作業員が出入りすることによって、昇降器具の表面に疵が生じて、その疵から腐食が進行するのは避けられない。腐食が進行すれば昇降器具を取り替えなければならないが、昇降器具はマンホールの内側面に埋め込まれているので、腐食した昇降器具を取り替えるのは困難である。
【０００４】
そこで、腐食性環境に設けられるマンホールでは、その内側面に昇降器具を配設せず、作業員が出入りするときのみ地上から昇降器具をマンホールに挿入し、内側面に固定する技術が検討されている。この技術では、マンホール蓋を取り外して昇降器具をマンホールに挿入する。そのため、マンホール蓋を取り外す作業のみならず昇降器具をマンホールに挿入しさらに内側面に固定する作業を行なう際に、作業員がマンホール内に転落する惧れがある。
【０００５】
このような作業における転落事故を防止するために、種々のマンホール蓋や昇降器具が検討されている。
たとえば特許文献１，２には、下面に車輪を備えたマンホール蓋が開示されている。特許文献１のマンホール蓋は、車輪がレール上を走行することによってマンホール蓋を移動させるものである。また特許文献２のマンホール蓋は、車輪が路面上を走行することによってマンホール蓋を移動させるものである。これらの技術は、いずれもマンホール蓋の取り外し作業や取り付け作業の際に作業員やマンホール蓋の転落を防止するものであり、内側面に昇降器具を埋め込んだマンホールでは有効である。しかしながら腐食性環境に設けられるマンホールのように、内側面に昇降器具を埋め込まず、着脱式の昇降器具を使用する場合には、昇降器具をマンホールに挿入しさらに内側面に固定する作業を行なう際に、作業員がマンホール内に転落する事故を完全に防止できない。
【０００６】
特許文献３には、着脱式の昇降器具が開示されている。この昇降器具は、腐食による折損が生じ易いバネ等の弾性体を使用しないので、腐食性環境で使用するのに好適である。しかしながらマンホール蓋については考慮されていないので、昇降器具をマンホールに挿入しさらに内側面に固定する作業を行なう際に、作業員がマンホール内に転落する事故を完全に防止できない。
【特許文献１】特開2002-327447号公報
【特許文献２】特開2001-20309号公報
【特許文献３】特開2005-226322号公報
【発明の開示】
【発明が解決しようとする課題】
【０００７】
本発明は、製鋼工場の廃液処理設備に設置される薬液ピット等のような、腐食性環境に設けられるマンホールに載置され、着脱式の昇降器具をマンホールに挿入しさらに内側面に固定する作業、および昇降器具をマンホールから取り出す作業を行なう際に、作業員がマンホール内に転落するのを防止できるマンホール蓋を提供することを目的とする。
【課題を解決するための手段】
【０００８】
本発明は、マンホールに載置されるマンホール蓋であって、マンホールに挿入される着脱式の昇降器具を通行させる開口部を有し、開口部に閉鎖板が開閉可能に装着されてなるマンホール蓋である。
本発明のマンホール蓋は、ステンレス鋼製のものを使用することが好ましい。
【発明の効果】
【０００９】
本発明のマンホール蓋を腐食性環境に設けられるマンホールで使用すれば、着脱式の昇降器具をマンホールに挿入しさらに内側面に固定する作業、および昇降器具をマンホールから取り出す作業を行なう際に、作業員がマンホールに転落する事故を防止できる。
【発明を実施するための最良の形態】
【００１０】
図１は、本発明のマンホール蓋の例を模式的に示す平面図である。図２は、薬液ピットのマンホールに本発明のマンホール蓋を載置した例を模式的に示す断面図である。図３は、図１に示すマンホール蓋の開口部に装着される閉鎖板の例を模式的に示す平面図である。
本発明のマンホール蓋１は開口部２を有し、その開口部２に閉鎖板３が開閉可能に装着される。通常、マンホール蓋１は閉鎖板３を閉じて開口部２を閉鎖した状態でマンホールに載置され、作業員や通行人がマンホールに転落する事故を防止する。
【００１１】
マンホール蓋１の形状や寸法は、特に限定せず、マンホール蓋１を載置するマンホールに応じて適宜設定する。図１には矩形のマンホール蓋１を示したが、円形や多角形であっても良い。また開口部２を設ける位置も、特に限定せず、マンホール蓋１を載置するマンホールに応じて適宜選択する。図１には開口部２を角部に設けたマンホール蓋１を示したが、開口部２を中央部に設けても良い。
【００１２】
作業員がマンホールからピットや地下トンネルに入って点検，補修を行なう必要が生じたときには、閉鎖板３を開いて開口部２を開放する。閉鎖板３をマンホール蓋１に装着する手段は、閉鎖板３を容易に開閉できれば良いのであり、使用する治具を限定する必要はない。ただしピンを介して装着すれば、ピンを支点として閉鎖板３を回動させることが可能であり、またピンを引き抜いて閉鎖板３を取り外すことも可能である。したがって、開口部２を容易に開閉するためにピンを介して閉鎖板３を装着することが好ましい。
【００１３】
閉鎖板３を開いて開放した開口部２から昇降器具４をマンホールに挿入する。この昇降器具４は着脱式でマンホールの内側面に固定する機構を備えたものを使用する。昇降器具４をマンホール内に挿入しさらに内側面に固定する作業を行なう間は、マンホールに載置されたマンホール蓋１の開口部２のみが開放される。したがって、作業員がマンホールに転落する事故を防止できる。
【００１４】
昇降器具４をマンホールの内側面に固定した後、マンホール蓋１を取り外して、マンホールを開放する。次いで、作業員が昇降器具４を用いてマンホール内に入り、ピットや地下トンネルの点検，補修を行なう。
点検や補修が終了した後、作業員が昇降器具４を用いてマンホールから地上に出る。次に、マンホール蓋１をマンホールに載置し、閉鎖板３を開いて開口部２を開放する。そしてマンホールの内側面に固定された昇降器具４を開口部２から取り出し、さらに閉鎖板２を閉じて開口部２を閉鎖する。つまり昇降器具４を取り出す作業を行なう間もマンホール蓋１がマンホールに載置され、開口部２のみが開放される。したがって、作業員がマンホールに転落する事故を防止できる。
【００１５】
以上に説明した通り、本発明のマンホール蓋を使用すれば、着脱式の昇降器具４をマンホールに挿入しさらに内側面に固定する作業、および昇降器具４をマンホールから取り出す作業を行なう際に、作業員がマンホールに転落する事故を防止できる。
また、ピットや地下トンネルの点検，補修を行なわず、単にマンホールの内部のみを点検する場合には、閉鎖板３を開くことによって、開口部２からマンホールの内部を点検できる。つまり、マンホール蓋の取り外しや昇降器具４の固定のような重作業を行なわず、簡便かつ安全に点検できるという効果も得られる。
【００１６】
本発明のマンホール蓋１は、着脱式の昇降器具４をマンホールに挿入する作業、および昇降器具４をマンホールから取り出す作業における作業員の安全を確保するためのものである。したがって、腐食性環境に設けられるマンホールのような、内側面に昇降器具４が埋め込まれていないマンホールで使用することが好ましい。
腐食性環境に設けられるマンホールで本発明のマンホール蓋１を使用する場合は、耐食性と強度を兼ね備えた素材（たとえばステンレス鋼等）でマンホール蓋１や閉鎖板３を製作することが好ましい。また、マンホール蓋１や閉鎖板３の下面（すなわち腐食性環境に接触する面）を耐食性の被膜でコーティングしても良い。このようにして、腐食性環境に設けられるマンホールで使用する場合にも、マンホール蓋１や閉鎖板３の腐食を抑制できる。腐食が進行して交換する必要が生じたときには、マンホール蓋１や閉鎖板３は地面に露出しているので容易に交換できる。
【実施例】
【００１７】
図１に示すようなマンホール蓋１をステンレス鋼で製作し、製鋼工場の廃液処理設備に設置された薬液ピットのマンホールに載置した。また、図３に示すような閉鎖板３をステンレス鋼で製作し、マンホール蓋１の開口部２にピンを介して装着した。薬液ピットには製鋼工場で使用したスラブ検査用排液が貯蔵されており、腐食性環境である故に、マンホールには昇降器具は埋め込まれていない。
【００１８】
作業員がマンホールから薬液ピットに入って点検や補修を行なう必要が生じたときには、閉鎖板３を開いて開口部２を開放し、開口部２から着脱式の昇降器具４をマンホールに挿入した。昇降器具４をマンホール内に挿入しさらに内側面に固定する作業を行なう間は、マンホールに載置されたマンホール蓋１の閉鎖板３を開いて、開口部２を開放した。昇降器具４をマンホールの内側面に固定した後、マンホール蓋１を取り外して、マンホールを開放した。次いで、作業員が昇降器具４を用いてマンホール内に入り、薬液ピットの点検や補修を行なった。
【００１９】
点検や補修が終了して、作業員が昇降器具４を用いてマンホールから地上に出た後、マンホール蓋１をマンホールに載置し、閉鎖板３を開いて開口部２を開放した。そしてマンホールの内側面に固定された昇降器具４を開口部２から取り出し、さらに閉鎖板３を閉じて開口部２を閉鎖した。
このようにして６ケ月間にわたって薬液ピットの点検や清掃を行なった。その期間中に、着脱式の昇降器具４をマンホールに挿入しさらに内側面に固定する作業、および昇降器具４をマンホールから取り出す作業を行なう際に作業員がマンホールに転落する事故は皆無であり、転落事故に類する兆候（たとえば作業員が体勢を崩す等）も皆無であった。
【００２０】
また、昇降器具４とマンホール蓋の腐食を調査したところ、昇降器具４の腐食は認められなかった。マンホール蓋は、下面にわずかな腐食が発生していたが、マンホールへの転落を防止するという安全性は十分に維持できた。
マンホール蓋の下面に発生した腐食は、時間の経過とともに拡大する可能性はある。腐食が進行して安全性を維持できなくなった場合は、マンホール蓋を交換する必要が生じるが、マンホール蓋は地面に露出しているので容易に交換できる。
【図面の簡単な説明】
【００２１】
【図１】本発明のマンホール蓋の例を模式的に示す平面図である。
【図２】本発明のマンホール蓋を載置した薬液ピットの例を模式的に示す断面図である。
【図３】本発明のマンホール蓋の開口部に装着される閉鎖板の例を模式的に示す平面図である。
【符号の説明】
【００２２】
１  マンホール蓋
２  開口部
３  閉鎖板
４  昇降器具（梯子）
５  薬液
【図１】
2008308938.tif 000003
【図２】
2008308938.tif 000004
【図３】
2008308938.tif 000005